(57)【要約】【課題】先端部分のみを使用し毛髪の一部分を正確に切断しようとする際、他の余分な部分まで切断してしまうことのない梳き鋏を提供することである。【解決手段】両鋏部材１ａ、１ｂのそれぞれの先端部分２ａ、２ｂで挟まれる毛髪のみを切断するため、櫛歯状の鋏部材１ａの支点ネジ側に任意の長さで櫛歯を有しない部分３ａを設けるものである。【選択図】図１
2006055585.tif 000002
【特許請求の範囲】
【請求項１】
櫛歯状の受け刃を有する鋏部材と刃付けをした切断刃を有する鋏部材とを支点ネジによって開閉自在に枢着された理美容用梳き鋏において、櫛歯状鋏部材の支点ネジ側から任意の長さにおいて櫛歯を有しない部分を設けた理美容用梳き鋏。
【請求項２】
請求項１の梳き鋏において、鋏を閉じた状態のとき、切断刃を有する鋏部材の刃の部分において櫛歯状の鋏部材の櫛歯を有していない部分と対向する部分のみ刃付けを施されていない梳き鋏。
【請求項３】
請求項１の梳き鋏において、鋏を閉じた状態のとき、切断刃を有する鋏部材の刃の部分において櫛歯状の鋏部材の櫛歯を有していない部分と対向する部分のみ任意の幅で欠損している梳き鋏。
【発明の詳細な説明】
【技術分野】
【０００１】  本発明は、理美容用の梳き鋏に関するものである。
【背景技術】
【０００２】  従来より理美容用として使用されている梳き鋏においては、刃を有する部分の長さが６センチ前後のものがほとんどである。梳き鋏はこの６センチの刃付け部分の長さのなかでカットするものであるが必ずしも長さ６センチの刃付けされた部分全体を使用するものでない。例えば毛髪の毛先のごく一部分のみカットしようとすれば、鋏を大きく開閉せずに鋏の先端部分のみで毛髪を切断する技術もある。【０００３】  近年のヘアースタイルの変化によりカット技術も大きく変化している。単に毛髪の量を調整するのみでなく、ソフト感を出したり、毛の束を作って毛束感を出したりする技術に梳き鋏を頻繁に使用するようになってきている。上述のように毛先の一部分を梳いたり、逆に頭皮にごく近い毛髪の根元部分を部分的に梳いたりする。また頭皮に対して垂直に梳き鋏を開閉したり、図２のように頭皮に対して斜めの角度で開閉したりもする。
【発明の開示】
【発明が解決しようとする課題】
【０００４】  上述した従来の梳き鋏を使用して図２のように頭皮に近い毛髪の根元部分のごく一部分を根梳きする場合、梳き鋏の先端部分を使用して細かいカット作業をするものであるが、毛髪は鋏の構造上支点ネジ近くから鋏の先端に向けて切断されていくためため、鋏の先端で毛髪の根元近くをカットするまでに支点ネジに近い他の部分の毛髪までカットしてしまいヘアースタイルの創作に狂いが生じる。頭皮に対して鋏を垂直に開閉したり、頭皮に対して平行にするなど角度を変えても、先端以外の支点ネジ側近くで余分な毛髪まで切断してしまう。【０００５】  そこで、本発明は、毛髪を切断する際に目的部分以外の余分な部分の毛髪を切断することなく、鋏の先端部分を使ったごく部分的で正確な切断を可能とする梳き鋏を提供するものである。
【課題を解決するための手段】
【０００６】  上記の課題を解決するために、本発明の梳き鋏は、櫛歯状鋏部材の支点ネジ側から任意の長さにおいて櫛歯を設けない構成を採用した。【０００７】  すなわち、支点ネジ側から任意の長さにおいて櫛歯を設けないことにより毛髪が切断されない部分が生じ、余分な毛髪まで切断することなく、櫛歯を有する先端部分のみでごく一部分を正確に切断することができるようにした。【０００８】  前記梳き鋏において鋏を閉じた状態のとき、切断刃において、櫛歯状の鋏部材の櫛歯を有しない部分と対向する部分のみ刃付けをしないことにより、櫛歯を有しない部分に溜まった毛髪を鋭く刃付けされた切断刃で傷つけることを避けることができる。【０００９】  前記梳き鋏において鋏を閉じた状態のとき、切断刃において、櫛歯状の鋏部材の櫛歯を有しない部分と対向する部分のみ任意の幅で欠損させることにより、櫛歯を有しない部分に溜まった毛髪の密度に余裕をもたせ、毛髪が鋏部材に絡むのを防ぎ、櫛歯を有しない部分から毛髪を容易に逃すことができる。
【発明の効果】
【００１０】  上述したように、本発明の梳き鋏は余分な毛髪まで切断することなく、鋏の先端部分のみで毛髪のごく一部分のみを正確に切断することができる。【００１１】  鋏を閉じたとき、切断刃において、櫛歯状の鋏部材の櫛歯を有しない部分と対向する部分に刃付けをしないことにより、櫛歯を有しない部分に溜まった毛髪を鋭く刃付けされた切断刃で傷つけることを避けることができる。【００１２】  鋏を閉じたとき、切断刃において、櫛歯状の鋏部材の櫛歯を有しない部分と対向する部分を任意の幅で欠損させることにより、櫛歯を有しない部分に溜まった毛髪の密度に余裕をもたせ、毛髪が鋏部材に絡むのを防ぎ、櫛歯を有しない部分から毛髪を容易に逃がすことができる。
【発明を実施するための最良の形態】
【００１３】  以下、図面に基づき、本発明の実施形態を説明する。この梳き鋏は受け刃である櫛歯を有する鋏部材１ａと切断刃を有する鋏部材１ｂとを支点ネジ２で開閉自在に枢着し、鋏部材１ａは櫛歯状部分２ａと櫛歯を有しない部分３ａからなるものである。【００１４】  図３（ａ）で示すように、本発明の梳き鋏は櫛歯状の鋏部材１ａの支点ネジ側から任意の長さで櫛歯を有しない部分３ａを設けることにより、この部分３ａでは毛髪が切断されず、先端部分２ａ、２ｂで挟まれる部分のみで切断可能となる。よって鋏部材１ａの支点側部分にて余分な毛髪を切断することなく、櫛歯を有する先端部分のみで毛髪のごく一部分だけを正確に切断することができる。【００１５】  図３（ａ）は鋏を閉じた状態であるが、櫛歯状の鋏部材１ａの櫛歯を設けない部分３ａに対向する切断刃の刃付けをしない部分３ｂを設けたものであり、この刃付けをしない部分３ｂを設けることにより鋏部材１ａと１ｂとの間にできる空間４に溜まった毛髪を傷つけることを避けることができる。【００１６】  図３（ｂ）は鋏を閉じた状態であるが、櫛歯状鋏部材１ａの櫛歯を有しない部分３ａと対向する欠損部分３ｃを有するものであり、欠損部分３ｃを作ることにより、空間４に溜まった毛髪の密度に余裕をもたせ、毛髪が鋏部材に絡むのを防ぎ、空間４から毛髪を容易に逃がすことができる。【００１７】  図３（ｃ）は鋏部材１ａの櫛歯を有しない部分３ａと切断刃を有する鋏部材１ｂの欠損部分３ｃの形に変化をつけたものである。この３ａ、３ｃの形状は図面３（ｂ）、図面３（ｃ）のように空間４に溜まった毛髪を逃がすのに支障がない範囲で自由な形状にすることができる。【００１８】  上述した実施形態では両鋏部材の一方を平刃型の切断刃にしたが、この切断刃を櫛歯状の切断刃にし、切断刃、受け刃とも櫛歯状にすることができる。
【図面の簡単な説明】
【００１９】
【図１】  本発明の実施形態を示す梳き鋏の正面図
【図２】  従来からある梳き鋏で毛髪の根元近くを切断する実施例の斜視図
【図３】  （ａ）、（ｂ）、（ｃ）は鋏部材を閉じた状態の模式図
【符号の説明】
【００２０】    １ａ、１ｂ  鋏部材
２          支点ネジ
２ａ、２ｂ  刃部
３ａ        櫛刃を設けない部分
３ｂ        刃付けをしない部分
３ｃ        欠損部分
４          鋏を閉じた状態でできる空間部分
【図１】
2006055585.tif 000003
【図２】
2006055585.tif 000004
【図３】
2006055585.tif 000005